(57)【要約】【課題】個別ＡＴＭで損券閾値を設定するものであり他システムとの整合をとることはできない。また、オペレータにより選択されたレベルの閾値が新たな損券レベルとして設定されることで複数台のシステムの整合をとるには、勝手が悪くなっていた。【解決手段】金融機関における自動機システムにおいて、ネットワーク経由でＡＴＭ、ソーターなどより、紙幣の記番号データ、受付または排除データを受信し、受信したデータより自動的に損券レベルを設定する紙幣識別装置。【選択図】図２
2012123696.tif 000002
【特許請求の範囲】
【請求項１】
金融機関における自動機装置において、ネットワーク経由でＡＴＭより、紙幣の記番号データと紙幣の受付または排除データを受信し、受信したデータより自動的に損券レベルを設定する紙幣識別装置。
【請求項２】
前記紙幣の記番号データと紙幣の受付または排除データは、自動機システムのＡＴＭにおいて個別に機種設定を行っていた損券レベルを、ネットワーク経由で他のＡＴＭより、紙幣の記番号データと紙幣の受付または排除データを受信し、この受信したデータを使用することにより他機種と同等の受付または排除性能とすることを可能としたことを特徴とする請求項１に記載の紙幣識別装置。
【請求項３】
ネットワーク経由でＡＴＭより、紙幣の記番号データと紙幣の受付または排除データを受信し、受信したデータと識別装置が保有する記番号データベースと比較し、記番号データベースのセンサ出力値より損券レベルを自動的に設定することを可能とする紙幣識別装置。
【発明の詳細な説明】
【技術分野】
【０００１】
本発明考案における自動機システムの識別装置において、ネットワークにより紙幣記番号と受付または排除情報を入手し損券レベルを調整し、各識別装置の紙幣受付または排除性能を均一化する。
【背景技術】
【０００２】
本技術分野の背景技術として、特許文献１がある。この公報には、汚損紙幣識別装置が用いられる地域の流通紙幣に対応した汚損基準の設定を可能とし、また長期間使用されたことによる汚損基準の変化にも適切に対応し得るようにすることにあると記載されている。
【先行技術文献】
【特許文献】
【０００３】
【特許文献１】特表平３−２９０６７２号公報
【発明の概要】
【発明が解決しようとする課題】
【０００４】
上記公知例においては、個別ＡＴＭで収集した紙幣データより汚損基準の閾値調整を個別に行っている。
【０００５】
そのため、個別ＡＴＭで損券閾値を設定するものであり他システムとの整合をとることはできない。
【０００６】
また、真券と汚損券の境界を示す閾値の設定をオペレータが自動機装置毎に行うため、複数台のシステムの整合をとるには、勝手が悪くなっていた。
【０００７】
本発明の目的は、ネットワークを経由して他機種の紙幣毎の記番号と受付または排除情報を入手し、自機種内に保存している紙幣データベース（以下、記番号データベース）より汚損券の汚れ具合を数段階のレベルに分類した、段階別の分類（以下、損券レベル）を自動設定し、自動機システムにおいて機種間の紙幣受付性能を統一することを目的としている。
【課題を解決するための手段】
【０００８】
本発明は前述の目的を達成するために、紙幣の識別を実施する金融機関の自動機システムにおいてネットワークで各機種を接続し、紙幣の記番号と受付または排除情報をネットワーク経由で入手する。このデータと記番号データベースを使用して損券レベルを自動調整することを構成したことにある。
【０００９】
上述のような構成としたので、自動機システム全体で損券レベルが一定となり受付または排除性能の機体差がなくなるという効果が発生する。
【００１０】
さらには、損券レベルの補正可能閾値範囲をあらかじめ設定することにより排除しなければならない汚損券、偽券などを受け付けることもなくなる。
【発明の効果】
【００１１】
本発明によれば、ネットワークを使用することにより自動機装置において紙幣、商品券、小切手などの損券レベルが統一された自動機装置を提供することができる。
【図面の簡単な説明】
【００１２】
【図１】自動機システム概要図である。
【図２】ＡＴＭのメニュー画面である。
【図３】ＡＴＭにおける損券レベル調整フローである。
【図４】記番号データベースレコードである。
【図５】閾値調整の補正範囲を示した図である。
【図６】自動機装置の内部構成図である。
【図７】紙幣仕分装置の内部構成図である。
【発明を実施するための形態】
【００１３】
以下、図１から図７を参照して、本発明の実施例を説明する。本実施形態は、銀行システムなどの金融機関システムに採用される例えばＡＴＭ（Automatic Teller Machine）、ソーターのような自動取引装置に関する。
【００１４】
まず、図１は、本実施形態に係わるシステム構成図であり、図４は記番号データベースレコードであり、図6は自動機装置の内部構成図である。本構成図および内部構成図を用いて、概略構成を説明する。
【００１５】
自動取引装置（以下ＡＴＭとする）ＡＴＭ1は、ＡＴＭ３、及び、紙幣仕分装置（以下ソーターとする）ソーター４とネットワーク２を経由して接続される。ＡＴＭ１、及び、ＡＭＴ３は、利用者の要求する種々の取引を自動的に実施する装置であり、自動機装置６００と同一であり、表示部６０１、入力装置６０２、カード読取書込部６０３、通帳読取部６０４、通帳印字部６０５、装置内通信部６０６、送受信部６１０，補助記憶装置６０８、主記憶装置６０９、そしてこれら各部を制御する制御部６０７などで構成されている。制御部は、ＣＰＵ，メモリ等のハード構成と、プログラム、データ等のソフト構成とから成り、各種処理、取引を制御する。また、識別装置６２０も内部に有している。識別装置６２０は制御部６２１、画像処理部６２２、記番号データベース６２３、装置内通信部６２４を有している。装置内通信部６２４と装置内通信部６０６は画像読取情報の伝達を行い同期ととりながら稼動している。
【００１６】
また、ソータ４は利用者の要求するように自動的に紙幣を仕分けする装置７００であり、表示部７０１、入力装置７０２、画像読取部７０３、送受信部７０７，補助記憶装置７０５、主記憶装置７０６、記番号データベース７０８と、そしてこれら各部を制御する制御部７０４などで構成されている。制御部は、ＣＰＵ，メモリ等のハード構成と、プログラム、データ等のソフト構成とから成り、各種仕分処理をする。
【００１７】
ＡＴＭ１と接続するＡＴＭ３は、データの送信または受信を行う送受信部６１０および送受信部７０７を介して接続され、記番号データベース６２３で記憶された、記番号などのデータと、これらを制御する制御部６２１を有する。ＡＴＭ１と接続するソーター４は、データの送信または受信を行う送受信部６１０および送受信部７０７を介して接続され、ファイル部７０６の内部にもうけた、記番号などを記憶する記番号データベースと、これらを制御する制御部７０４を有する。この記番号データベースのレコード４００は、号機番号、金種、記番号、受付または排除が記憶されており、ＡＴＭ３、及び、ソーター４より受信するデータに含まれている。これにより、ＡＴＭ１は記番号により受付または排除の判断が可能となる。
【００１８】
本実施例では、図２から図７を参照して本発明の実施例を説明する。
【００１９】
まず、図２は、ＡＴＭ１のメニュー画面である。ユーザは損券レベルの設定を行いたいときにメニュー２００を起動し、紙幣情報収集２０１を選択する。
【００２０】
図３はＡＴＭにおける損券レベル調整フロー図である。図３を用いて損券レベル調整フローを説明する。この操作によりネットワーク２をかいして図３ＡＴＭにおける損券レベル調整フロー図の記番号情報受信(Ｓ３０１)処理でＡＴＭ３およびソーター4より記番号データ４００を受信する。
【００２１】
図４は記番号データベースレコード図である。図４を用いて記番号データベースレコードを説明する。記番号データ４００は、号記番号と金種と記番号と受付または排除情報で構成されている。
【００２２】
次に、ＡＴＭ１は記番号データ４００を受信したら、記番号データベース検索一致(Ｓ３０２)を行う。記番号データベース検索一致（Ｓ３０２）は、記番号データベース６２３内に保存している記番号データレコード４０１の金種と記番号が一致した場合データが存在したとみなす。存在した場合、センサ出力値チェック(Ｓ３０３)を行う。センサ出力値チェック(Ｓ３０３)は、出力値が損券レベルのどのレベルに該当するかを認識する。例えば、センサ出力値が０〜１００未満は損券レベル０、センサ出力値１００〜２００未満は損券レベル１、センサ出力値が２００〜３００未満は損券レベル２等のようにセンサ出力値と損券レベルを対応させる。ただし、図５の補正可能閾値範囲をあらかじめ決めておき、決められた補正可能閾値範囲内（Ｓ３０４）であれば損券レベル補正（Ｓ３０５）を行う。また、補正閾値範囲外であれば補正不可メッセージ（Ｓ３０６）を画面出力し終了する。
【００２３】
補正可能閾値範囲内（Ｓ３０４）の範囲は、図５閾値調整補正範囲で示すように、あらかじめ決まられた補正可能閾値範囲である。この補正可能閾値範囲をさだめることにより真券受付性能の低下、偽券、大きな破れ券、大きな穴あき券などの損券の排除性能を維持できる。上記紙幣データ処理は記番情報受信が終了（Ｓ３０７）するまで、受信データ分繰り返し行う。
【００２４】
一方、記番号データベース６２３に一致する記番号が存在しない場合も想定する。この場合、紙幣をＡＴＭ１で読みこみ、紙幣毎に金種と記番号とセンサ出力値を読み込み、損券レベルを設定する機能も設ける。まず、ユーザは、図２に記載されたＡＴＭメニューの紙幣読込み２０２を選択する。紙幣読込み（Ｓ３１０）で、紙幣毎の金種と記番号とセンサ出力値読み込み（Ｓ３１１）を行う。このデータと記番号号データベース６２３と比較し、記番号データベース検索一致（Ｓ３１２）チェックを行う。一致した場合、センサ出力値チェック(Ｓ３０３)を行う。センサ出力値チェック(Ｓ３０３)は、出力値が損券レベルのどのレベルに該当するかを認識する。例えば、センサ出力値が０〜１００未満は損券レベル０、センサ出力値１００〜２００未満は損券レベル１、センサ出力値が２００〜３００未満は損券レベル２等、のようにセンサ出力値と損券レベルを対応させる。ただし、図５の補正可能閾値範囲をあらかじめ決めておき、決められた補正可能閾値範囲内（Ｓ３０４）であれば損券レベル補正（Ｓ３０５）を行う。また、補正閾値範囲外であれば補正不可メッセージ（Ｓ３０６）を画面出力し終了する。記番号データベース検索一致（Ｓ３１２）で一致しなかった場合、記番号データレコード４０１に追加保存する。そして、センサ出力値チェック(Ｓ３０３)を行う。センサ出力値チェック(Ｓ３０３)は、出力値が損券レベルのどのレベルに該当するかを認識する。例えば、センサ出力値が０〜１００未満は損券レベル０、センサ出力値１００〜２００未満は損券レベル１、センサ出力値が２００〜３００未満は損券レベル２、のようにセンサ出力値と損券レベルを対応させる。ただし、図５の補正可能閾値範囲をあらかじめ決めておき、決められた補正可能閾値範囲内（Ｓ３０４）であれば損券レベル補正（Ｓ３０５）を行う。また、補正閾値範囲外であれば補正不可メッセージ（Ｓ３０６）を画面出力し終了する。上記紙幣データ処理は紙幣読込が終了（Ｓ３１５）するまで、読取データ分繰り返し行う。
【００２５】
ここでは、紙幣での実施例を記しているが、商品券、小切手など有価証券で記載された番号を有するものでもよい。また、ネットワークは、有線ＬＡＮ、無線ＬＡＮ、公衆回線、インターネット、等データ転送可能なシステム構成を使用してもよい。また、自動機システムに接続される装置は、ＡＴＭ、ソーター以外の紙幣識別機能を有した識別装置にも適用される。
【符号の説明】
【００２６】
１…自動取引装置（ＡＴＭ）、２…ネットワーク、３…自動取引装置（ＡＴＭ）、４…紙幣仕分装置（ソーター）、２００…ＡＴＭメニュー、４００…記番号データ、４０１…記番号データベース、５００…閾値調整補正範囲図、６０１…表示部、６０２…入力装置、６０３…カード読取書き込み部、６０４…通帳読取書込部、６０５…通帳印字部、６０６…装置内通信部、６０７…制御部（自動機装置側）、６０８…補助記憶装置、６０９…主記憶装置、６０９…記番号データベース、６１０…送受信部、６２１…制御部（識別装置）、６２２…画像読取部、６２３…記番号データベース（識別装置）、６２４…装置内通信部（識別装置側）（識別装置）、７０１…表示部（紙幣仕分装置）、７０２…入力装置（紙幣仕分装置）、７０３…画像読取仕分部（紙幣仕分装置）、７０４…制御部（紙幣仕分装置）、７０５…補助記憶装置（紙幣仕分装置）、７０６…主記憶装置（紙幣仕分装置）、７０６…記番号データベース（紙幣仕分装置）、７０７…送受信部（紙幣仕分装置側）。
【図１】
2012123696.tif 000003
【図２】
2012123696.tif 000004
【図３】
2012123696.tif 000005
【図４】
2012123696.tif 000006
【図５】
2012123696.tif 000007
【図６】
2012123696.tif 000008
【図７】
2012123696.tif 000009